(57)【要約】【課題】地編部においてメッシュ調のネット形状を保持しながら、部分的に、ジャカード柄部と変化ネット部を形成することにより、外観的に美麗で見栄えのよいレース状経編地を提供する。【解決手段】編目形成糸の組織を、基準ウエールで編目形成し、適宜間隔で左右一方の隣接ウエールに移行して編目形成し、その後、元のウエールに戻る組織で、またジャカード筬による挿入糸の組織を、２ウエールに跨る横振り挿入と、同一ウエールでの挿入とを繰り返す組織にして、地編部１を所定形状の透孔１ａによるネット状に編成するとともに、ジャカードによる柄部２を形成し、部分的に、ジャカードにより挿入糸の組織を変化させることにより、地編部１の透孔１ａとは異なる透孔３ａによる大小の変化ネット部３を形成する。【選択図】        図１
2006188793.tif 000002
【特許請求の範囲】
【請求項１】
ジャカード機構を備える経編機により編成される経編地であって、編目を形成する糸の組織が、鎖編以外の組織で、基準となるウエールで複数連続して編目形成するとともに、編方向に適宜の間隔で少なくとも左右一方に隣接するウエールに移行して編目形成した後、元のウエールに戻る組織であり、この編目形成糸の組織とジャカード筬により導糸される挿入糸の組織とにより、地編部が所定形状の透孔によるネット状に編成されるとともに、ジャカードによる柄部が形成されてなるレース状経編地において、
前記地編部において前記基本形状の透孔によるネット形状を保持しながら、部分的に、編目形成糸の組織を変化させることなくジャカードにより挿入糸の組織を変化させることにより、前記地編部の透孔とは異なる１種もしくは複数種の透孔による大小の変化ネット部が形成されてなることを特徴とするレース状経編地。
【請求項２】
編目形成糸の組織が、同一ウエールで複数コース連続して編目形成するとともに、左右一方に隣接するウエールに移行して複数コース連続して編目形成した後、元のウエールに戻る組織であり、また、ジャカード筬による挿入糸の組織が、２ウエールに跨る横振り挿入と同一ウエールでの挿入とを適宜のコース数ずつ繰り返す編成を基本にして、ジャカードの作用により挿入形態が変化せしめられる組織であり、ジャカードによる挿入糸の組織変化により、前記地編部において基本形状の透孔によるネット形状を保持しながら、ジャカードによる柄部が形成されるとともに、部分的に、前記基本形状の透孔とは異なる１種もしくは複数種の透孔による大小の変化ネット部が形成されてなることを特徴とする請求項１に記載のレース状経編地。
【請求項３】
前記ジャカード筬による挿入糸の組織は、２ウエールに跨る横振り挿入の部分が少なくとも３コースにわたって連続する編成と、同一ウエールでの挿入部分が３コースだけ連続する編成とを交互に繰り返す組織を基本にして、ジャカードの作用により挿入形態が変化せしめられる組織である請求項２に記載のレース状経編地。
【請求項４】
前記柄部が、ジャカード柄のみからなり、この柄部に前記変化ネット部が組み合わされてなる請求項１〜３のいずれか１項に記載のレース状経編地。
【請求項５】
前記柄部が、ジャカード柄とラッセル柄とにより構成され、この柄部に前記変化ネット部が組み合わされてなる請求項１〜３のいずれか１項に記載のレース状経編地。
【請求項６】
前記ジャカード筬による挿入糸、及び別の筬で挿入される糸の少なくとも一方に、弾性糸が用いられて編成されてなる請求項１〜５のいずれか１項に記載のレース状経編地。
【発明の詳細な説明】
【技術分野】
【０００１】
本発明は、ジャカード機構を備える経編機により編成されてなるレース状経編地、特には基本となるネット状の地編部とは別に、部分的にジャカード等の柄部とともに変化ネット部を設けてなる、レース状経編地に関するものである。
【背景技術】
【０００２】
従来より、例えばジャカード機構を備える経編機により編成される経編地として、基布の地編組織に対してジャカード筬により導糸される挿入糸により、主として厚地、薄地、穴地等の変化によるレース様の所謂ジャカード柄を構成した経編地が知られており、婦人用のショーツ、ガードル、ブラジャー等のファンデーション、スリップ、キャミソール等のランジェリーその他の女性用下着、スポーツウエアやアウター等の各種衣料に使用され、さらに細幅の生地については前記女性用下着の付属品にも使用されている。
【０００３】
かかる経編地において、その基本組織がチュール組織よりなる場合は、比較的細かな略六角形状の透孔を有するメッシュ調の組織を基本にして、ジャカードによる挿入糸の変化により、前記穴地の透孔を形成しないように変化させて薄地や厚地の組織にすることにより、所謂ジャカード柄を形成するものであり、このようなチュール組織において、チュール組織によるメッシュ調の透孔に対してさらに大きい透孔を有する変化ネット部を形成することは考えられておらず、またそうした経編地は出現していない。そのため、ジャカードによるレース状経編地としての柄の変化に乏しいものであった。
【０００４】
レース柄を呈する経編地において変化ネット部を現出させたものとしては、図８に例示するように、鎖編組織を基本組織として、ジャカード筬Ｌ２について同図の（ａ）を（ｂ）や（ｃ）のように変化させることにより、大小のネット目による透孔を形成したものが知られているが、この鎖編組織の透孔による場合、基本となる透孔の形状や大きさが比較的不揃いになり、また、該基布部分をメッシュ調のネット状にして、大小の変化ネット部を形成した場合、メッシュ調のネット状の部分と変化ネット部との境界を綺麗な形にできないものである。そのため、外観的な美麗さや見栄えの点では充分に満足できないものであった。
【０００５】
特に、レース状経編地において、地編部では形や大きさの揃った細かな透孔形状を保持しながら、部分的にジャカード柄を構成して、しかも透孔の大きさや形状を変化させた変化ネット部を形成したものが求められているが、現在までのところ、そのような経編地が出現していないのが実情である。
【発明の開示】
【発明が解決しようとする課題】
【０００６】
本発明は、上記に鑑みてなしたものであり、ジャカード機構を備える経編機により編成されるレース状経編地として、その地編部において形や大きさの揃った細かな透孔によるメッシュ調のネット形状を保持しながら、部分的に、鎖編による変化ネットとほぼ同様の形態の変化ネット部を形成することにより、外観的に美麗で見栄えのよいレース状経編地を提供するものである。
【課題を解決するための手段】
【０００７】
上記の課題を解決する本発明は、ジャカード機構を備える経編機により編成される経編地であって、編目を形成する糸の組織が、鎖編以外の組織で、基準となるウエールで複数連続して編目形成するとともに、編方向に適宜の間隔で少なくとも左右一方に隣接するウエールに移行して編目形成した後、元のウエールに戻る組織であり、この編目形成糸の組織とジャカード筬により導糸される挿入糸の組織とにより、地編部が所定形状の透孔によるネット状に編成されるとともに、ジャカードによる柄部が形成されてなるレース状経編地において、前記地編部において前記基本形状の透孔によるネット形状を保持しながら、部分的に、編目形成糸の組織を変化させることなくジャカードにより挿入糸の組織を変化させることにより、前記地編部の透孔とは異なる１種もしくは複数種の透孔による大小の変化ネット部が形成されてなることを特徴とする。
【０００８】
このレース状経編地によれば、地編部においては比較的整った形の透孔によるネット形状を保持しながら、柄部においてはジャカード柄と共に前記基本形状の透孔とは異なる透孔による大小の変化ネット部が形成されており、そのため前記変化ネット部が柄部の一部として前記ジャカード柄等の柄部にさらに変化を与えることができ、また地編部と柄部との境界も綺麗になり、女性用下着あるいはアウター等の衣料に使用するこの種のレース状経編地として、美麗で見栄えのよい外観を呈するものとなる。
【０００９】
前記のレース状経編地において、編目形成糸の組織が、同一ウエールで複数コース連続して編目形成するとともに、左右一方に隣接するウエールに移行して複数コース連続して編目形成した後、元のウエールに戻る組織であり、また、ジャカード筬による挿入糸の組織が、２ウエールに跨る横振り挿入と同一ウエールでの挿入とを適宜のコース数ずつ繰り返す編成を基本にして、ジャカードの作用により挿入形態が変化せしめられる組織であり、ジャカードによる挿入糸の組織変化により、前記地編部において基本形状の透孔によるネット形状を保持しながら、ジャカードによる柄部が形成されるとともに、部分的に、前記基本形状の透孔とは異なる１種もしくは複数種の透孔による大小の変化ネット部が形成されてなるものとすることができる。
【００１０】
この場合、前記編目形成糸の組織がチュール編の組織における編目形成組織であり、また前記挿入糸の組織についてもジャカードの変化でチュール編の組織における挿入組織と同じにできる。そのため、前記ネット状の地編部においては、チュール編特有の形の整った略六角形状の透孔によるメッシュ調をなすものとすることができる。しかも、前記のメッシュ調の地編部の透孔形態を保持しながら、部分的に、ジャカードによる柄部とともに透孔の大きさや形状を異にする変化ネット部が形成されることで、該変化ネット部が柄部の一部として、ジャカード柄等の柄にさらに変化を与えることができ、メッシュ調の地編部と柄部との境界が綺麗になることとも相俟って、きわめて美麗でさらに体裁良好なものとなり、この種のレース状経編地として、上品で美しい外観を呈し、さらにデザイン性に富み高級感を呈するものとなる。
【００１１】
前記のジャカード筬による挿入糸の組織として、特に好ましいものは、２ウエールに跨る横振り挿入の部分が少なくとも３コースにわたって連続する編成と、同一ウエールでの挿入部分が３コースだけ連続する編成とを交互に繰り返す組織を基本にして、ジャカードの作用により挿入形態が変化せしめられる組織である。これにより、チュール編の編成が容易で、地編部におけるチュール編による略六角形状の透孔の形がさらに整った綺麗なメッシュ調をなすものになる。
【００１２】
前記のレース状経編地の柄部が、ジャカード柄のみからなり、この柄部に前記変化ネット部が組み合わされてなるものとすることも、また、ジャカード柄とラッセル柄とにより構成され、この柄部に前記変化ネット部が組み合わされてなるものとすることもできる。それぞれ前記変化ネット部によって単なるジャカード柄やラッセル柄とは異なる雅趣に富んだ柄を表現でき、デザイン性をさらに高めることができる。
【００１３】
また、前記のレース状経編地において、ジャカード筬による挿入糸、及び別の筬で挿入される糸のすくなくとも一方に、弾性糸を用いて編成したものとして、伸縮性を有するものとすることができる。
【発明の効果】
【００１４】
上記したように本発明のレース状経編地によれば、その地編部においては形や大きさが揃った細かな透孔によるネット形状を保持しながら、部分的に、鎖編による変化ネットと殆ど同様の変化ネット部を形成したことにより、メッシュ調の地編部が綺麗に視覚されることに加えて、前記変化ネット部によりジャカード柄等の柄部にさらに変化を与えることができ、柄部と地編部との境界が綺麗になることもあって、女性用下着等のインナーやアウター等の各種衣料に使用するこの種のレース状経編地として、外観的にきわめて美麗で体裁のよいものとなる。
【００１５】
特に、ネット状の地編部を、チュール目による比較的細かな揃った透孔形状によるメッシュ調とすることにより、これがジャカード柄等と相俟ってさらに上品で美しい外観を呈し、デザイン性にも優れ、高級感を呈するものとなる。
【発明を実施するための最良の形態】
【００１６】
次に、本発明の実施の形態を図面に示す実施例に基づいて説明する。
【００１７】
図１は、本発明の１実施例のレース状経編地を示す一部の拡大平面図である。図２は、同上の経編地に利用する編組織の例を示す一部のラッピング状態の組織図である。図３及び図４は、それぞれ同上の経編地に利用する編組織の編目形成糸と挿入糸の分解した組織図（ラッピング図）である。
【００１８】
本発明にかかるレース状経編地Ａは、ジャカード機構を備える経編機、すなわちジャカード装置により運動が制御される少なくとも１枚のジャカード筬と、他の少なくとも１枚の地筬とを備える経編機により、基本的に、少なくとも１枚の地筬により導糸されて編目を形成する糸（以下、編目形成糸とする）の鎖編以外の組織と、ジャカード筬により導糸される挿入糸とにより編成されてなるものである。この経編地Ａは、基本的に、図１に示すように、地編部１が所定形状の透孔１ａによるネット状に編成されるとともに、ジャカードによる穴地、薄地、厚地等の組合せによる柄部２が形成されてなるものである。なお、図１に示された経編地Ａは、前記柄部２における一部、例えば輪郭に沿う部分等に、別の筬で編み込まれる柄糸による柄も合わせて形成しているが、この柄糸の柄については必ずしも必要ではないため、ここでの詳しい説明は省略する。
【００１９】
前記地編部１は、前記編目形成糸の組織が、基準となるウエールで複数連続して編目形成するとともに、編方向に適宜の間隔（複数コース）で、少なくとも左右一方に隣接するウエールに移行して編目形成した後、元のウエールに戻る組織で編成される。すなわち、編方向に所定間隔毎に、前記基準となるウエールから、一方のウエールのみに移行するか、あるいは左右に隣接するウエールに交互に移行して編目形成した後、元のウエールに戻る組織で編成される。そして、この編目形成糸の組織と、前記ジャカード筬により導糸される挿入糸の組織（挿入組織）とにより、前記地編部１が基本となる所定形状の透孔１ａを有するネット状に編成されて、部分的にジャカードの変位による任意の柄部２が形成されて、全体としてレース状をなしている。
【００２０】
本発明の経編地Ａにおいては、前記地編部１において前記基本形状の透孔１ａによるネット形状を保持しながら、部分的に、編目形成糸の組織を変化させることなくジャカードによる挿入糸の組織を適宜変化させることにより、前記基本形状の透孔１ａとは異なる１種もしくは複数種の透孔３ａによる大小の変化ネット部３を形成する。
【００２１】
特に好ましくは、図２に例示するように、前記地編部１の組織を、編目形成糸の組織とジャカード筬による挿入糸の組織とによるチュール編組織で編成する。なお、この図２では、ジャカード筬による挿入糸Ｙ２について、その動きを理解し易くするために、便宜的に、各糸の図示状態を４種に交互に区別して示している。
【００２２】
図２の編組織は、図３及び図４において編目形成糸を導糸する筬Ｌ１と、挿入糸を導糸するジャカード筬Ｌ２とのラッピング状態を分解して示しているように、前記編目形成糸Ｙ１の組織が、基準となる同一のウエールで複数コース（例えば３コース）連続して編目形成するとともに、左右一方に隣接するウエールに移行して、該ウエールで複数コース（例えば３コース）連続して編目形成した後、元のウエールに戻る組織であり、また、ジャカード筬による挿入糸Ｙ２の組織が、２ウエールに跨る横振り挿入と、同一ウエールでの実質的に直線状の挿入とを、適宜のコース数ずつ、好ましくは前記編目形成糸Ｙ１の編目形成のコース数と同じ複数コース（例えば３コース）ずつ交互に繰り返す組織〔図３の（ａ）及び図４の（ａ）〕を基本にして、図３の（ｂ）〜（ｅ）及び図４の（ｂ）〜（ｅ）の例のように、ジャカードの作用により挿入形態が適宜変化せしめられる組織で編成されている。
【００２３】
実施上は、前記挿入糸Ｙ２の基本となる（ａ）の組織において、前記挿入糸の２ウエールに跨る横振り挿入の部分Ｙ２−２が少なくとも３コースにわたって連続する編成と、同一ウエールでの実質的に直線状の挿入部分Ｙ２−１が３コースだけ連続する編成とを交互に繰り返す組織であるものが、チュール目の透孔を形成する上で好ましく、また、前記２ウエールに跨る横振り挿入の部分Ｙ２−２と直線状の挿入部分Ｙ２−１との間の横振り部Ｙ２ａが、前記編目形成糸Ｙ１の組織におけるウエール間の移行部分Ｙ１ａに沿って同方向に横振り挿入されるように設定されているのがさらに好ましい。
【００２４】
そして、前記編目形成糸Ｙ１の組織を変化させずに、前記ジャカードの作用により挿入糸Ｙ２の組織のみを変化させることにより、前記地編部１においては、前記挿入糸Ｙ２を、数コース毎に隣のウエールと元のウエールとに交互に移行する前記編目形成糸Ｙ１に沿うように挿入して、基本となる透孔１ａが所謂チュール目の略六角形状をなすネット状を保持するように編成し、さらに前記柄部２を形成する部分においては、ジャカードの作用による挿入糸Ｙ２の挿入形態の変化とその組合せにより、任意の柄を形成するように編成する。また、前記の柄部２の一部等の所要個所において、部分的に、前記挿入糸Ｙ２を、２ウエールに跨る横振り挿入を、前記編目形成糸Ｙ１の移行間隔よりも多いコース数に渡って連続して繰り返すか、あるいは連続して同一ウエールに挿入する編成を所定のコース数に渡って繰り返すことにより、前記編目形成糸Ｙ１がチュール編の組織のままであるにも拘わらず、チュール目の前記透孔１ａよりも大きい透孔３ａを形成するように編成し、大小の変化ネット部３を構成する。通常、図２のような編組織で編成された後、拡幅およびヒートセットすることにより、各透孔１ａ及び３が拡開し図１に例示するような透孔３ａを有する経編地Ａを得ることができる。
【００２５】
このようにして形成される前記透孔３ａの部分では、図１や図２に示すように、該透孔内に前記編目形成糸Ｙ１の移行部分Ｙ１ａが存在しているものの、複数コース毎に１本ずつ間隔をおいて存在するだけであるため、この移行部分Ｙ１ａが殆ど目立たず、前記の大きい透孔３ａとして現れることになる。
【００２６】
特に、前記挿入糸Ｙ２が隣合う２列以上のウエールに跨るように横振り挿入されて、両ウエールの編目が絞られることにより、両ウエールが変化して大小の透孔３ａが形成されるとともに、該透孔３ａを画する部分が前記の２ウエールによりやや太く形成されることになってはっきりと視覚されることになり、前記透孔３ａ及びこれによる変化ネット部３による柄が図１のように比較的明瞭に形成されることになる。
【００２７】
本発明において利用するチュール編組織について、編目形成糸を導糸する地筬Ｌ１と、挿入糸を導糸するジャカード筬Ｌ２を分解して示す図３及び図４に基づいて説明する。
【００２８】
ジャカード筬Ｌ２は、筬の運動とは別に、各ガイドが編針ピッチの１針分緯方向に変位が付与されるように設けられてなるもので、ジャカード装置の変位プログラムにしたがって制御されるように設けられているものであり、図３は、前記ジャカード筬Ｌ２の各ガイドを、ジャカード装置の作用により図面の左側から右側に向かって１針分変位させるタイプの場合を示し、図４は、前記とは逆に、図面の右側から左側に１針分変位させるタイプの場合を示している。
【００２９】
図３及び図４において、編目形成糸を導糸する地筬Ｌ１は、複数コース（図は３コース）編目形成して隣のウエールに移行し、該ウエールで複数コース（図は３コース）連続して編目形成し、その後、元のウエールに戻る１リピート６コースのチュール編を基本とする組織である。これに対し、挿入糸を導糸する筬Ｌ２は、前記両図それぞれの（ａ）に示すように、２ウエールに跨る横振り挿入と、同一ウエールでの挿入とを、前記編目形成糸Ｙ１の次に移行するまでの編目形成のコース数と同じコース数ずつ繰り返す組織を基本にして、ジャカード制御により、図中の矢印で示すように、所定のコース位置においてガイドを変位させることにより、前記両図それぞれの（ｂ）〜（ｅ）のように挿入組織を種々変化させることができるようになっている。
【００３０】
例えば、図３及び図４それぞれの（ｅ）のように、ジャカード筬Ｌ２のガイドを変位させて地筬Ｌ１による編目形成糸Ｙ１に沿って挿入することにより、図２に示すチュール目特有の略六角形状の透孔１ａによるメッシュ調の穴地組織とすることができ、また、前記両図それぞれの（ｄ）や（ｃ）のようにガイドを変位させて複数のウエールに跨がらせて挿入することにより、前記のチュール目を塞ぐ形態の薄地組織や厚地組織を編成できる。従って、これらの（ａ）〜（ｅ）の各組織を適宜組合せて編成することにより、穴地、穴地調、薄地、厚地調、厚地等による柄を構成できるとともに、図１のように基本となる穴地組織による透孔１ａよりも大きい透孔３ａによる大小の変化ネット部３を柄部の一部として構成することができ、柄効果を高めることができる。
【００３１】
特に、前記のジャカード筬Ｌ２を、図３及び図４それぞれの（ａ）の組織を基本として、ジャカードにより適宜変化させるようにしたため、同図それぞれの（ｄ）のように、隣合う２ウエールに跨る横振り挿入の部分を編方向に直線状に連続させることが可能になる。そのため、前記の穴地、薄地及び厚地組織等の組合せによるジャカード柄の編成と共に、図１及び図２に例示するように、鎖編による変化ネットのごとき比較的大きい透孔３ａを有する変化ネット部３を形成することができる。また、該変化ネット部３と、基本形状の透孔１ａによる地編部１との境界も綺麗に形成できる。そのため、婦人用のファンデーション、ランジェリー等の女性用下着等の各種のインナー衣料やアウター衣料に好適に使用できるものとなる。
【００３２】
前記のチュール編組織において挿入糸を導糸するジャカード筬Ｌ２としては、例えば図７に示すように、編目形成糸を導糸する地筬Ｌ１の移行に合わせて、数コース毎に隣のウエールと元のウエールとの間を交互に移行する挿入を繰り返す同図（ａ）の組織を基本にして、ジャカード制御により、同図の（ｂ）（ｃ）のように挿入組織を種々変化させて編成することも可能であるが、この場合、図３及び図４の各（ｄ）のように、同一の２ウエールに跨る横振り挿入を編方向に連続させて編成することができないため、鎖編による変化ネットのごとき大きい透孔を形成するのは困難である。そのため、上記したように、図３及び図４の（ａ）のように、２ウエールに跨る横振り挿入の部分を含む組織を基本組織として編成するのが特に好ましい。
【００３３】
なお、前記のジャカード柄よりなる柄部２に、柄筬により導糸される柄糸による柄（所謂ラッセル柄）を組合わせて形成する場合、前記地筬Ｌ１及びジャカード筬Ｌ２のほか、柄筬を追加して、該柄筬により必要個所に柄糸を導糸して編成する。図２では、前記の柄糸を導糸する柄筬については図示を省略している。もちろん、前記の柄糸による柄を有さないジャカード柄のみによる実施も可能である。また、ジャカード柄の形成を輪郭等のみに適当に制限して、変化ネット部を主にして柄部を構成することもできる。この場合、刺繍用の下地布としても好適使用できる。
【００３４】
また、本発明で利用するチュール編組織において、前記編目形成糸Ｙ１の組織における基準となるウエールと、隣接ウエールでの編目形成のコース数は、図２〜図４のように３コースとするものには限らず、数コース〜数十コースの範囲で適宜設定して実施できる。この場合も、ジャカード筬による挿入糸Ｙ２の組織は、２ウエールに跨る横振り挿入と、同一ウエールでの挿入とを、それぞれ複数コースずつ交互に、好ましくは２ウエールに跨る横振り挿入を３コース以上の任意のコース数連続し、また同一ウエールでの挿入を３コースだけ連続する編成をそれぞれ交互に繰り返す組織、例えば前記編目形成糸Ｙ１の編目形成のコース数と同じ数コースずつ交互に繰り返す組織を基本にして、ジャカード制御により、上記の図３の（ｂ）〜（ｅ）と同様に、所定のコース位置においてガイドを変位させて編成する。
【００３５】
例えば、図５は、基準のウエールと隣接ウエールとの編目形成のコース数を各５コースとして、１リピート１０コースで編成する組織を基本とする場合を示している。このほか、７コースずつ交互に１リピート１４コースで編成する組織等、他のコース数での編成も可能である。また、挿入糸Ｙ２の２ウエールに跨る横振り挿入の部分Ｙ２−２と、同一ウエールでの挿入部分Ｙ２−１については、図５のようにそれぞれ前記編目形成のコース数に合わせる場合を基本とするほか、図６に示すように、同一ウエールでの挿入部分Ｙ２−１の一部を、２ウエールに跨る横振り挿入として、同一ウエールでの挿入部分Ｙ２−１のコース数を少なくすることができ、この場合、１リピートのコース数が大きくても柄が作り易くなる。
【００３６】
なお、本発明は、上記した実施例のように、チュール編組織をネット状の地編部の透孔を形成する組織に利用するものには限らず、例えば、編目形成糸を２枚の地筬により１イン１アウトで交互に導糸して編成するパワーネット組織を利用して、該組織の透孔を地編部の基本形状の透孔とするように編成する実施も可能である。この場合、挿入糸を上記同様にジャカード筬により導糸して、ジャカードによる任意の柄を形成するとともに、ジャカードによる前記挿入糸の組織変化により、地編部１の基本形状の透孔とは異なる透孔による大小の変化ネット部を形成できる。
【００３７】
上記したいずれの実施例においても、前記のジャカード筬による挿入糸として、もしくは別の筬で挿入される追加の挿入糸として、あるいはこれらの糸の双方に、弾性糸を用いて編成することができる。これにより、伸縮性を有するレース状経編地とすることができ、伸縮性を有する衣料等に好適に使用できるものとなる。
【００３８】
また、本発明のレース状経編地において、肌に優しい素材や吸湿、吸汗、制菌及び消臭の少なくとも一種の効果を出す素材の糸を挿入編成しておくことができる。これにより、上述したように外観的に美麗で体裁がよくて、しかも前記機能を併せ持ったレース状経編地を得ることができる。
【産業上の利用可能性】
【００３９】
本発明のレース状経編地は、整った形のネット状の地編部と、本来のジャカード柄による柄部を有するものにおいて、部分的に変化ネット部を設けたもので、美麗な見栄えのよい外観を呈することにより、婦人用のショーツ、ガードル、ブラジャー等のファンデーション、スリップ、キャミソール等のランジェリーその他の女性用下着、スポーツウエアやアウター等の各種衣料、及びその付属品、さらには刺繍用の下地布等として広く利用することができる。
【図面の簡単な説明】
【００４０】
【図１】本発明の１実施例のレース状経編地を示す一部の拡大平面図である。
【図２】同上の経編地に利用する編組織の例を示す一部のラッピング状態の組織図である。
【図３】同上の経編地に利用する編組織の編目形成糸と挿入糸の分解した組織図（ラッピング図）である。
【図４】同上の経編地に利用する他の例の編組織の編目形成糸と挿入糸の分解した組織図（ラッピング図）である。
【図５】チュール編組織の他の例の基本の組織を示す分解した組織図である。
【図６】チュール編組織のさらに他の例の基本の組織を示す分解した組織図である。
【図７】チュール編組織の他の例を示す分解した組織図である。
【図８】鎖編組織によるジャカード柄の組織説明図である。
【符号の説明】
【００４１】
Ａ    レース状経編地
１    地編部
１ａ  透孔
２    柄部
３    変化ネット部
３ａ  透孔
Ｙ１  編目形成糸
Ｙ１ａ  編目形成糸の移行部分
Ｙ２  挿入糸
Ｙ２−１  実質的に直線状の挿入部分
Ｙ２−２  ２ウエールに跨る横振り挿入の部分
Ｙ２ａ  横振り部
Ｌ１    地筬
Ｌ２    ジャカード筬  
【図１】
2006188793.tif 000003
【図２】
2006188793.tif 000004
【図３】
2006188793.tif 000005
【図４】
2006188793.tif 000006
【図５】
2006188793.tif 000007
【図６】
2006188793.tif 000008
【図７】
2006188793.tif 000009
【図８】
2006188793.tif 000010